(57)【要約】    【課題】  複数のサイズの記録用紙について両面印刷を行う際のパフォーマンスの向上を図ることができる画像形成装置及びその画像形成制御方法、並びにプログラムを提供する。    【解決手段】  画像入出力システム１００におけるプリンタ部３００の記録紙搬送経路は、手差し給紙段３１５からの記録紙を感光ドラム３２３上のトナー像が転写部３２５で転写された後、定着部を経て外部に向けて搬送するための搬送路３３５と、上記転写・定着された後に搬送路３３３へ導かれた記録紙の感光ドラム３２３と転写部３２５との間への再給紙を行うための再給紙搬送路３３２とから構成される。再給紙待ちの全紙数が、再給紙待ちとした全ての用紙と給紙待ちの先頭用紙の中の最大の用紙サイズに応じて再給紙搬送路で搬送可能な紙数として設定された紙数以上であるときに再給紙待ちの先頭用紙を再給紙し、再給紙待ちの全紙数が、上記設定された紙数未満であるときに給紙待ちの先頭用紙を給紙する。【選択図】      図８
2006290609.tif 000002
【特許請求の範囲】
【請求項１】
給紙した用紙の一方の面の画像形成をした後、前記用紙を再給紙することによりその他方の面の画像形成して前記用紙の両面の画像形成を行う画像形成装置において、
前記一方の面の画像形成までの間、前記用紙を給紙待ちとする用紙給紙待ち手段と、
前記一方の面の画像形成から前記他方の面の画像形成までの間、前記用紙を再給紙搬送路で再給紙待ちとする用紙再給紙待ち手段と、
前記再給紙待ちとした全ての用紙と前記給紙待ちの先頭用紙の中で最大の用紙サイズを検出する最大用紙検出手段と、
前記検出された用紙サイズに応じて前記再給紙搬送路で搬送可能な紙数を設定する紙数設定手段と、
前記再給紙待ちの全紙数が、前記設定された紙数以上であるときに前記再給紙待ちの先頭用紙を再給紙する再給紙手段と、
前記再給紙待ちの全紙数が、前記設定された紙数未満であるときに前記給紙待ちの先頭用紙を給紙する給紙手段とを備えることを特徴とする画像形成装置。
【請求項２】
前記紙数設定手段は、
前記最大用紙検出手段により検出された用紙の循環枚数の値を取得する最大用紙循環枚数取得手段を備え、
前記取得した最大用紙循環枚数に１を加えた値を２で割った値を前記設定された紙数とすることを特徴とする請求項１記載の画像形成装置。
【請求項３】
給紙した用紙の一方の面の画像形成をした後、前記用紙を再給紙することによりその他方の面の画像形成して前記用紙の両面の画像形成を行う画像形成装置において、
前記一方の面の画像形成までの間、前記用紙を給紙待ちとする用紙給紙待ち手段と、
前記一方の面の画像形成から前記他方の面の画像形成までの間、前記用紙を再給紙搬送路で再給紙待ちとする用紙再給紙待ち手段と、
前記再給紙待ちとした全ての用紙及び前記給紙待ちの先頭用紙の各用紙サイズを検出する全用紙サイズ検出手段と、
前記検出された各用紙サイズに応じて設定された重みの合計値を算出する全重み算出手段と、
前記算出された重みの合計値が、前記再給紙搬送路の長さに応じて設定された循環最大係数未満であるときに前記再給紙待ちの先頭用紙を再給紙する再給紙手段と、
前記算出された重みの合計値が、前記循環最大係数未満であるときに前記給紙待ちの先頭用紙を給紙する給紙手段とを備えることを特徴とする画像形成装置。
【請求項４】
給紙した用紙の一方の面の画像形成をした後、前記用紙を再給紙することによりその他方の面の画像形成して前記用紙の両面の画像形成を行う画像形成装置の画像形成制御方法において、
前記一方の面の画像形成までの間、前記用紙を給紙待ちとする用紙給紙待ちステップと、
前記一方の面の画像形成から前記他方の面の画像形成までの間、前記用紙を再給紙搬送路で再給紙待ちとする用紙再給紙待ちステップと、
前記再給紙待ちとした全ての用紙と前記給紙待ちの先頭用紙の中で最大の用紙サイズを検出する最大用紙検出ステップと、
前記検出された用紙サイズに応じて前記再給紙搬送路で搬送可能な紙数を設定する紙数設定ステップと、
前記再給紙待ちの全紙数が、前記設定された紙数以上であるときに前記再給紙待ちの先頭用紙を再給紙する再給紙ステップと、
前記再給紙待ちの全紙数が、前記設定された紙数未満であるときに前記給紙待ちの先頭用紙を給紙する給紙ステップとを備えることを特徴とする画像形成制御方法。
【請求項５】
給紙した用紙の一方の面の画像形成をした後、前記用紙を再給紙することによりその他方の面の画像形成して前記用紙の両面の画像形成を行う画像形成装置の画像形成制御方法において、
前記一方の面の画像形成までの間、前記用紙を給紙待ちとする用紙給紙待ちステップと、
前記一方の面の画像形成から前記他方の面の画像形成までの間、前記用紙を再給紙搬送路で再給紙待ちとする用紙再給紙待ちステップと、
前記再給紙待ちとした全ての用紙及び前記給紙待ちの先頭用紙の各用紙サイズを検出する全用紙サイズ検出ステップと、
前記検出された各用紙サイズに応じて設定された重みの合計値を算出する全重み算出ステップと、
前記算出された重みの合計値が、前記再給紙搬送路の長さに応じて設定された循環最大係数未満であるときに前記再給紙待ちの先頭用紙を再給紙する再給紙ステップと、
前記算出された重みの合計値が、前記循環最大係数未満であるときに前記給紙待ちの先頭用紙を給紙する給紙ステップとを備えることを特徴とする画像形成制御方法。
【請求項６】
給紙した用紙の一方の面の画像形成をした後、前記用紙を再給紙することによりその他方の面の画像形成して前記用紙の両面の画像形成を行う画像形成装置の画像形成制御方法をコンピュータにより実行するプログラムにおいて、
前記一方の面の画像形成までの間、前記用紙を給紙待ちとする用紙給紙待ちモジュールと、
前記一方の面の画像形成から前記他方の面の画像形成までの間、前記用紙を再給紙搬送路で再給紙待ちとする用紙再給紙待ちモジュールと、
前記再給紙待ちとした全ての用紙と前記給紙待ちの先頭用紙の中で最大の用紙サイズを検出する最大用紙検出モジュールと、
前記検出された用紙サイズに応じて前記再給紙搬送路で搬送可能な紙数を設定する紙数設定モジュールと、
前記再給紙待ちの全紙数が、前記設定された紙数以上であるときに前記再給紙待ちの先頭用紙を再給紙する再給紙モジュールと、
前記再給紙待ちの全紙数が、前記設定された紙数未満であるときに前記給紙待ちの先頭用紙を給紙する給紙モジュールとを備えることを特徴とするプログラム。
【請求項７】
給紙した用紙の一方の面の画像形成をした後、前記用紙を再給紙することによりその他方の面の画像形成して前記用紙の両面の画像形成を行う画像形成装置の画像形成制御方法をコンピュータにより実行するプログラムにおいて、
前記一方の面の画像形成までの間、前記用紙を給紙待ちとする用紙給紙待ちモジュールと、
前記一方の面の画像形成から前記他方の面の画像形成までの間、前記用紙を再給紙搬送路で再給紙待ちとする用紙再給紙待ちモジュールと、
前記再給紙待ちとした全ての用紙及び前記給紙待ちの先頭用紙の各用紙サイズを検出する全用紙サイズ検出モジュールと、
前記検出された各用紙サイズに応じて設定された重みの合計値を算出する全重み算出モジュールと、
前記算出された重みの合計値が、前記再給紙搬送路の長さに応じて設定された循環最大係数未満であるときに前記再給紙待ちの先頭用紙を再給紙する再給紙モジュールと、
前記算出された重みの合計値が、前記循環最大係数未満であるときに前記給紙待ちの先頭用紙を給紙する給紙モジュールとを備えることを特徴とするプログラム。
【発明の詳細な説明】
【技術分野】
【０００１】
本発明は、画像形成装置及びその画像形成制御方法、並びにプログラムに関し、特に画像形成手段で一方の面に画像が形成された用紙を循環経路に導き、循環経路途中で用紙を反転した後に画像形成手段に再給紙することにより、用紙の両面に画像を形成することが可能な画像形成装置及びその画像形成制御方法、並びにプログラムに関する。
【背景技術】
【０００２】
従来、複数枚の用紙の表裏両面に画像を形成することが可能な画像形成装置として、給紙手段により給紙された用紙上に画像を形成する画像形成手段から用紙を画像形成手段に再給紙するための両面パスと、両面パスに沿って搬送される用紙を反転させるための反転手段と、両面パス途中に設けられ、反転された用紙を集積するトレイとを備え、用紙を両面パスに沿って画像形成手段から反転手段を経由してトレイに搬送し、反転された用紙をトレイに一旦集積した後に画像形成手段に再給紙することにより、用紙の両面に画像を形成するものがある。用紙をトレイに一旦集積した後に画像形成手段に再給紙する再給紙方式は、スタック型両面機構と呼ばれるものである。
【０００３】
また、複数枚の用紙の表裏両面に画像を形成することが可能な画像形成装置として、給紙手段により給紙された用紙上に画像を形成する画像形成手段から用紙を画像形成手段に再給紙するための循環経路と、用紙を画像形成手段から循環経路に沿って搬送し、循環経路途中で用紙を反転した後に画像形成手段に再給紙する循環再給紙手段とを備え、画像形成手段で一方の面に画像が形成された用紙を循環経路に沿って搬送し、循環経路途中で用紙を反転した後に画像形成手段に再給紙することにより、用紙の両面に画像を形成するものがある。この循環再給紙手段による再給紙方式は、トレイレス両面機構又はスルーパス両面機構などと呼ばれるものであり、前者のスタック型両面機構に比して画像形成速度を向上させることができるとともに、トレイの設置によるコストアップを招くことがないなどの利点がある。
【０００４】
このトレイレス両面機構又はスルーパス両面機構などと呼ばれる方式を用いた画像形成装置を用いて、以下のような給紙制御方式を用いることにより、循環可能な用紙枚数を超えた枚数の用紙に両面画像を形成する場合、通常では用紙間隔が余分に空くことになる両面画像形成を、片面画像形成と同様の用紙間隔で行うことを可能にした従来技術が提案されている（例えば、特許文献１参照）。
【０００５】
具体的には、まず、循環経路に対して循環可能な用紙枚数が設定されており、この循環可能な用紙枚数を超えた枚数の用紙に両面画像を形成する場合には、まず、循環可能な用紙枚数Ｐａに１を加えた値（Ｐａ＋１）を１／２倍した値（（Ｐａ＋１）／２）に相当する枚数分の用紙を先に給紙し、その後、給紙と先に給紙した用紙の再給紙とを交互に繰り返すように制御する。
【０００６】
図１２は、従来の画像形成装置における紙の搬送経路を模式的に示す図である。
【０００７】
図１２において、搬送経路は、手差し給紙段３１５から給紙された紙を感光ドラム３２３に向けて搬送するための搬送路３３１と、感光ドラム３２３上に形成されたトナー像が転写された紙を定着部（不図示）を経て外部（排紙トレイ）に向けて搬送するための搬送路３３５と、紙を外部へ背面排紙するための搬送路３３８と、搬送路３３８に導かれた紙を外部へ排紙するための搬送路３３７と、感光ドラム３２３上に形成されたトナー像が転写された紙を定着部（不図示）を経て反転用搬送路３３３へ導くための搬送路３３６と、搬送路３３３へ導かれた用紙を搬送路３３１へ導いて再給紙を行うための再給紙搬送路３３２とを含む。
【０００８】
片面画像形成の場合、手差し給紙段３１５から給紙された紙は、搬送路３３１を経て感光ドラム３２３に向けて搬送され、その表面に感光ドラム３２３上に形成されたトナー像が転写された後に、定着部に送られる。そして、定着部によりトナー像が定着された紙は、搬送路３３５を経て外部（例えば排紙トレイ）に排紙される。また、定着後の紙を必要に応じて搬送路３３６を経て搬送路３３８に導き、搬送路３３７を介して排紙することによって、背面排紙をすることができる。
【０００９】
両面画像形成の場合、手差し給紙段３１５から給紙された紙は、搬送路３３１を経て感光ドラム３２３に向けて搬送され、その表面に感光ドラム３２３上に形成されたトナー像が転写された後に、定着部に送られる。そして、定着部によりトナー像が定着された紙は、搬送路３３６を経て反転用搬送路３３３へ一旦導かれた後に、再給紙搬送路３３２へ導かれる。これにより、用紙は反転された状態で再給紙搬送路３３２上を搬送され、搬送路３３１を経て感光ドラム３２３に再給紙される。
【００１０】
このように、トレイレス両面機構方式では、画像形成制御方法及び排紙方法により異なる搬送経路（以下「循環経路」という。）上を紙が搬送されるよう制御が行われる。この循環経路への紙の搬送制御は、従来より、各循環経路に対して循環可能な用紙枚数（以下「循環枚数」という）を予め設定して行われている。
【００１１】
さらに、さまざまなサイズの記録紙の画像形成を行うことができる画像形成装置に対して、上記循環枚数を循環経路と記録紙サイズの組み合わせ毎に予め設定するというものも従来技術として開示されている。
【００１２】
図１３は、従来の画像形成装置により実行される給紙スケジューリング処理の手順を示すフローチャートである。
【００１３】
図１３において、まず、給紙待ちの紙がなく（ステップＳ４５０１でＮＯ）、且つ再給紙待ちの紙もないか否かを判別する（ステップＳ４５０５）。
【００１４】
ステップＳ４５０５の判別の結果、再給紙待ちの紙もないとき、ステップＳ４５０１からの処理を繰り返す。一方、ステップＳ４５０５の判別の結果、再給紙待ちの紙はあるとき、再給紙待ちの紙の先頭紙を給紙して（ステップＳ４５０４）、本処理を終了する。このステップＳ４５０４の処理により、すでに表面に印字が行われている再給紙待ちの紙の先頭紙の裏面に印字する両面裏面印字が行われる。その後、この両面裏面印字が行われた紙は、搬送路３３５を経て外部に排紙される。
【００１５】
一方、給紙待ちの紙があるときは（ステップＳ４５０１でＹＥＳ）、再給紙待ちの紙があるか否かを判別する（ステップＳ４５０２）。
【００１６】
ステップＳ４５０２の判別の結果、再給紙待ちの紙があるとき、再給紙待ちの紙数が（循環枚数の値＋１）／２以上であるか否かを判別し（ステップＳ４５０６）、再給紙待ちの紙数が（循環枚数の値＋１）／２以上であるときは、再給紙待ちの紙の再給紙を開始するタイミングであると判断して、ステップＳ４５０４の処理に進む。一方、ステップＳ４５０６の判別の結果、再給紙待ちの紙数が（循環枚数値＋１）／２未満であるときは、給紙待ちの紙の先頭紙が両面印刷の紙であるか否かを判別し（ステップＳ４５０３）、先頭紙が両面印刷の紙でないときはステップＳ４５０４の処理に進み、先頭紙が両面印刷の紙であるときは、給紙待ちの紙の先頭紙を再給紙搬送路を排紙先として給紙して（ステップＳ４５０８）、本処理を終了する。このステップＳ４５０８の処理により、給紙待ちの紙の先頭紙の表面に印字する両面表面印字が行われる。その後、反転用搬送路３３３でこの両面表面印字が行われた紙を反転させた後に、その反転した紙を再給紙搬送路３３２に導き、再給紙待ちの紙としてその紙の印字を待機させる。
【００１７】
上記ステップＳ４５０２の判別の結果、再給紙待ちの紙がないとき、給紙待ちの紙の先頭紙が両面印字の紙であるか否かを判別し（ステップＳ４５０７）、給紙待ちの紙の先頭紙が両面印字の紙であるときは、ステップＳ４５０８の処理に進み、一方、給紙待ちの紙の先頭紙が両面印字の紙でないときは、給紙待ちの紙の先頭紙を排紙ビンを排紙先として給紙して（ステップＳ４５０９）、本処理を終了する。このステップＳ４５０９の処理により、給紙待ちの紙の先頭紙の表面に印字する片面印字が行われる。その後、この片面印字が行われた紙は、排紙ビンに排紙される。
【００１８】
以下、図１３の処理で両面印刷を行う給紙待ちの記録紙は全部で５枚あり、いずれの記録紙サイズもＡである場合について、図１４を用いて具体的に説明する。ここで画像記録装置に設定されている循環枚数は５枚である。
【００１９】
まず、３（＝（循環枚数の値（＝５）＋１）／２）枚の紙がまず給紙される。この際に各紙は紙１枚分の間隔が置かれて給紙される。ついで、最初に給紙された１枚目の紙が再給紙され、それに続いて４枚目の紙が給紙される。そして、４枚目の紙の給紙後に、２枚目の紙の再給紙が行われる。このように、給紙と再給紙が交互に行われるよう紙の搬送制御が行われる。
【００２０】
次に、図１３の処理で両面印刷を行う給紙待ちの記録紙は全部で３枚あり、いずれの記録紙サイズもＢである場合について、図１４を用いて具体的に説明する。ここで画像記録装置に設定されている循環枚数は３枚である。
【００２１】
まず、２（＝（循環枚数の値（＝３）＋１）／２）枚の紙がまず給紙される。ついで、最初に給紙された１枚目の紙が再給紙され、それに続いて３枚目の紙が給紙される。この後は給紙、再給紙が交互に行われる用紙の搬送制御が行われる。
【００２２】
このように循環枚数に応じて紙の搬送制御方法を変えることによって、効率的な画像形成を行うことができる。
【００２３】
次に、異なる記録紙サイズの両面印刷をする場合の画像記録装置における紙の搬送制御方法について説明する。
【００２４】
図１６は、図１３の処理の変形例の手順を示すフローチャートである。
【００２５】
図１６の処理は、図１３の処理と基本的に同じであり、図１３のステップと同一のステップには同一符号を付して重複した説明は省略し、以下に図１３の処理と異なる部分についてのみ説明する。
【００２６】
図１６の処理は、ステップＳ４５０２とステップＳ４５０６の間にステップＳ４６０１，Ｓ４６０２が配されており、ステップＳ４５０２でＹＥＳと判別されたときに、再給紙待ちの紙の最後の紙と給紙待ちの紙の先頭紙のサイズが同一であるか否かを判別し（ステップＳ４６０１）、同一であるときは、給紙待ちの紙の先頭紙の記録紙サイズの循環枚数を取得して（ステップＳ４６０２）、ステップＳ４５０６の処理に進み、同一でないときは、ステップＳ４５０３の処理に進む点でのみ図１３のものと異なる。
【００２７】
以下、図１６の処理で両面印刷を行う給紙待ちの記録紙は全部で８枚あり、上から３枚の紙の記録紙サイズがＢ、残りの５枚の紙の記録紙サイズがＡである場合について、図１７を用いて具体的に説明する。ここで画像記録装置に設定されている循環枚数は記録紙サイズがＢの紙については３枚、記録紙サイズがＡの紙については５枚である。
【００２８】
最初の３枚は、すべて用紙サイズがＢであるため３（＝（５＋１）／２）枚循環型であることにより、２枚の紙がまず給紙される。この際に各紙は紙１枚分の間隔が置かれて給紙される。ついで、最初に給紙された１枚目の紙が再給紙され、それに続いて３枚目の紙が給紙される。そして、３枚目の紙の給紙後に、２枚目の紙の再給紙が行われる。２枚目の再給紙が行われた直後のタイミング２６０１では給紙待ちの記録紙サイズが再給紙待ちの記録紙サイズと異なるため（ステップＳ４６０１でＮＯ）、４枚目の給紙を行わずに３枚目の再給紙を先に行う。３枚目の再給紙後、再給紙待ちの紙がなくなるため４枚目の給紙を行う。
【００２９】
また、図１６の処理で両面印刷を行う給紙待ちの記録紙は全部で２１枚あり、上から１０枚の紙の記録紙サイズがＡ、次の１枚の紙の記録紙サイズがＢ、最後の１０枚の記録紙サイズがＡである場合についても、図１８に示すように同様の処理が行われる。
【特許文献１】特開平９−３１５６９９号公報
【発明の開示】
【発明が解決しようとする課題】
【００３０】
しかしながら、従来のトレイレス両面機構による給紙制御方式では、給紙待ちの先頭紙の用紙サイズが再給紙待ちの紙の用紙のサイズと異なるときに、再給紙待ちの全ての紙の裏面印字及び排紙をその循環枚数に従って行った後に、給紙待ちの紙の両面印刷を開始するため、処理が遅いという欠点がある。
【００３１】
本発明の目的は、複数のサイズの記録用紙について両面印刷を行う際のパフォーマンスの向上を図ることができる画像形成装置及びその画像形成制御方法、並びにプログラムを提供することにある。
【課題を解決するための手段】
【００３２】
上記目的を達成するために、請求項１記載の画像形成装置は、給紙した用紙の一方の面の画像形成をした後、前記用紙を再給紙することによりその他方の面の画像形成して前記用紙の両面の画像形成を行う画像形成装置において、前記一方の面の画像形成までの間、前記用紙を給紙待ちとする用紙給紙待ち手段と、前記一方の面の画像形成から前記他方の面の画像形成までの間、前記用紙を再給紙搬送路で再給紙待ちとする用紙再給紙待ち手段と、前記再給紙待ちとした全ての用紙と前記給紙待ちの先頭用紙の中で最大の用紙サイズを検出する最大用紙検出手段と、前記検出された用紙サイズに応じて前記再給紙搬送路で搬送可能な紙数を設定する紙数設定手段と、前記再給紙待ちの全紙数が、前記設定された紙数以上であるときに前記再給紙待ちの先頭用紙を再給紙する再給紙手段と、前記再給紙待ちの全紙数が、前記設定された紙数未満であるときに前記給紙待ちの先頭用紙を給紙する給紙手段とを備えることを特徴とする。
【００３３】
請求項３記載の画像形成装置は、給紙した用紙の一方の面の画像形成をした後、前記用紙を再給紙することによりその他方の面の画像形成して前記用紙の両面の画像形成を行う画像形成装置において、前記一方の面の画像形成までの間、前記用紙を給紙待ちとする用紙給紙待ち手段と、前記一方の面の画像形成から前記他方の面の画像形成までの間、前記用紙を再給紙搬送路で再給紙待ちとする用紙再給紙待ち手段と、前記再給紙待ちとした全ての用紙及び前記給紙待ちの先頭用紙の各用紙サイズを検出する全用紙サイズ検出手段と、前記検出された各用紙サイズに応じて設定された重みの合計値を算出する全重み算出手段と、前記算出された重みの合計値が、前記再給紙搬送路の長さに応じて設定された循環最大係数未満であるときに前記再給紙待ちの先頭用紙を再給紙する再給紙手段と、前記算出された重みの合計値が、前記循環最大係数未満であるときに前記給紙待ちの先頭用紙を給紙する給紙手段とを備えることを特徴とする。
【００３４】
請求項４記載の画像形成制御方法は、給紙した用紙の一方の面の画像形成をした後、前記用紙を再給紙することによりその他方の面の画像形成して前記用紙の両面の画像形成を行う画像形成装置の画像形成制御方法において、前記一方の面の画像形成までの間、前記用紙を給紙待ちとする用紙給紙待ちステップと、前記一方の面の画像形成から前記他方の面の画像形成までの間、前記用紙を再給紙搬送路で再給紙待ちとする用紙再給紙待ちステップと、前記再給紙待ちとした全ての用紙と前記給紙待ちの先頭用紙の中で最大の用紙サイズを検出する最大用紙検出ステップと、前記検出された用紙サイズに応じて前記再給紙搬送路で搬送可能な紙数を設定する紙数設定ステップと、前記再給紙待ちの全紙数が、前記設定された紙数以上であるときに前記再給紙待ちの先頭用紙を再給紙する再給紙ステップと、前記再給紙待ちの全紙数が、前記設定された紙数未満であるときに前記給紙待ちの先頭用紙を給紙する給紙ステップとを備えることを特徴とする。
【００３５】
請求項５記載の画像形成制御方法は、給紙した用紙の一方の面の画像形成をした後、前記用紙を再給紙することによりその他方の面の画像形成して前記用紙の両面の画像形成を行う画像形成装置の画像形成制御方法において、前記一方の面の画像形成までの間、前記用紙を給紙待ちとする用紙給紙待ちステップと、前記一方の面の画像形成から前記他方の面の画像形成までの間、前記用紙を再給紙搬送路で再給紙待ちとする用紙再給紙待ちステップと、前記再給紙待ちとした全ての用紙及び前記給紙待ちの先頭用紙の各用紙サイズを検出する全用紙サイズ検出ステップと、前記検出された各用紙サイズに応じて設定された重みの合計値を算出する全重み算出ステップと、前記算出された重みの合計値が、前記再給紙搬送路の長さに応じて設定された循環最大係数未満であるときに前記再給紙待ちの先頭用紙を再給紙する再給紙ステップと、前記算出された重みの合計値が、前記循環最大係数未満であるときに前記給紙待ちの先頭用紙を給紙する給紙ステップとを備えることを特徴とする。
【００３６】
請求項６記載のプログラムは、給紙した用紙の一方の面の画像形成をした後、前記用紙を再給紙することによりその他方の面の画像形成して前記用紙の両面の画像形成を行う画像形成装置の画像形成制御方法をコンピュータにより実行するプログラムにおいて、前記一方の面の画像形成までの間、前記用紙を給紙待ちとする用紙給紙待ちモジュールと、前記一方の面の画像形成から前記他方の面の画像形成までの間、前記用紙を再給紙搬送路で再給紙待ちとする用紙再給紙待ちモジュールと、前記再給紙待ちとした全ての用紙と前記給紙待ちの先頭用紙の中で最大の用紙サイズを検出する最大用紙検出モジュールと、前記検出された用紙サイズに応じて前記再給紙搬送路で搬送可能な紙数を設定する紙数設定モジュールと、前記再給紙待ちの全紙数が、前記設定された紙数以上であるときに前記再給紙待ちの先頭用紙を再給紙する再給紙モジュールと、前記再給紙待ちの全紙数が、前記設定された紙数未満であるときに前記給紙待ちの先頭用紙を給紙する給紙モジュールとを備えることを特徴とする。
【００３７】
請求項７記載のプログラムは、給紙した用紙の一方の面の画像形成をした後、前記用紙を再給紙することによりその他方の面の画像形成して前記用紙の両面の画像形成を行う画像形成装置の画像形成制御方法をコンピュータにより実行するプログラムにおいて、前記一方の面の画像形成までの間、前記用紙を給紙待ちとする用紙給紙待ちモジュールと、前記一方の面の画像形成から前記他方の面の画像形成までの間、前記用紙を再給紙搬送路で再給紙待ちとする用紙再給紙待ちモジュールと、前記再給紙待ちとした全ての用紙及び前記給紙待ちの先頭用紙の各用紙サイズを検出する全用紙サイズ検出モジュールと、前記検出された各用紙サイズに応じて設定された重みの合計値を算出する全重み算出モジュールと、前記算出された重みの合計値が、前記再給紙搬送路の長さに応じて設定された循環最大係数未満であるときに前記再給紙待ちの先頭用紙を再給紙する再給紙モジュールと、前記算出された重みの合計値が、前記循環最大係数未満であるときに前記給紙待ちの先頭用紙を給紙する給紙モジュールとを備えることを特徴とする特徴とする。
【発明の効果】
【００３８】
本発明によれば、再給紙待ちの全紙数が、再給紙待ちとした全ての用紙と給紙待ちの先頭用紙の中の最大の用紙サイズに応じて再給紙搬送路で搬送可能な紙数として設定された紙数以上であるときに再給紙待ちの先頭用紙を再給紙し、再給紙待ちの全紙数が、上記設定された紙数未満であるときに給紙待ちの先頭用紙を給紙するので、再給紙待ちとした全ての用紙と給紙待ちの先頭用紙の中に、小さいサイズの用紙と大きいサイズの用紙が混在しているときに、大きいサイズの用紙に応じて設定された紙数に応じて、大きいサイズの用紙のみならず、小さいサイズの用紙も給紙・再給紙が行われ、再給紙待ちとした全ての用紙と給紙待ちの先頭用紙が全て小さいサイズの用紙になったときのみ、小さいサイズの用紙に応じて設定された紙数に応じて用紙の給紙・再給紙が行われるので、複数のサイズの記録用紙について両面印刷を行う際のパフォーマンスの向上を図ることができる。
【００３９】
本発明によれば、再給紙待ちとした全ての用紙及び給紙待ちの先頭用紙の各用紙サイズに応じて設定された重みの合計値が再給紙搬送路の長さに応じて設定された循環最大係数未満であるときに再給紙待ちの先頭用紙を再給紙し、上記重みの合計値が上記循環最大係数未満であるときに給紙待ちの先頭用紙を給紙するので、画像形成装置の再給紙搬送路の長さを最大に使用することができ、よりパフォーマンスの向上を図ることができる。
【発明を実施するための最良の形態】
【００４０】
以下、本発明の実施の形態を図面を用いて詳述する。
【００４１】
図１は、本発明の形態に係る画像形成装置としての画像入出力システム１００の構成を概略的に示すブロック図である。
【００４２】
図１において、画像入出力システム１００は、リーダ部２００と、プリンタ部３００と、制御装置１１０と、操作部１５０とを備える。リーダ部２００は、原稿を給紙するための原稿給紙ユニット２５０と、原稿給紙ユニット２５０から給紙された原稿上の画像を読み取るためのスキャナユニット２１０とを有し、スキャナユニット２１０により読み取られた画像データは、制御装置１１０に入力される。
【００４３】
プリンタ部３００は、給紙ユニット３１０と、マーキングユニット３２０と、排紙ユニット３３０とを有する。給紙ユニット３１０は、異なるサイズの記録紙をそれぞれ収容する複数のカセットを搭載し、各カセットから記録紙を給紙する。マーキングユニット３２０は、電子写真方式による画像形成プロセスを有するユニットである。このマーキングユニット３２０においては、ＬＡＮ１０４に接続されたＰＣ（ホストコンピュータ）１０１，１０２、又はスキャナユニット２１０から制御装置１１０を介して入力された画像データに基づき給紙ユニット３１０から給紙された記録紙上に画像形成を行う。排紙ユニット３３０は、マーキングユニット３２０により画像形成された記録紙をソート、ステイプルなどの処理を施して排紙する。
【００４４】
制御装置１１０は、リーダ部２００及びプリンタ部３００と電気的に接続されるとともに、ＬＡＮ１０４を介してＰＣ１０１，１０２、デジタル複写機１０３と接続されている。制御装置１１０は、リーダ部２００により原稿の画像データを読み取り、この画像データをプリンタ部３００に出力して記録紙上に画像を形成するように制御することによって、コピー機能を実現する。また、リーダ部２００で読み取られた画像データをコードデータに変換し、ＬＡＮ１０４を介してＰＣ１０１，１０２に送信するように制御することによって、スキャナ機能を実現する。さらに、各ＰＣ１０１，１０２からＬＡＮ１０４を介して受信したコードデータを画像データに変換し、この画像データをプリンタ部３００に出力するように制御することによって、プリンタ機能を実現する。
【００４５】
操作部１５０は、制御装置１１０に対する指示入力などを行うための各種キー及びユーザとのインタフェース画面を表示するための液晶表示パネルを有し、各種キーに操作に応じて対応する信号を発生して制御装置１１０へ出力する。
【００４６】
図２は、図１におけるリーダ部２００及びプリンタ部３００のハードウェア構成を概略的に示す図である。
【００４７】
図２において、リーダ部２００とプリンタ部３００とは、一体的に構成されている。
【００４８】
リーダ部２００は、原稿を先頭から順に１枚ずつプラテンガラス２１１上へ給送し、各原稿の読取動作が終了する毎にその原稿をプラテンガラス２１１から排出トレイ２１９に排出する原稿給紙ユニット２５０を搭載する。
【００４９】
リーダ部２００は、原稿がプラテンガラス２１１上に給送されると点灯するランプ２１２と、上記点灯と同時に移動を開始して、プラテンガラス２１１上の原稿に対する読取走査を行うスキャナユニット２１３とを備える。
【００５０】
スキャナユニット２１３は、読取走査中の原稿からの反射光を導光するミラー２１４，２１５，２１６及びレンズ２１７と、導光された反射光を撮像面上に結像し、原稿上の画像の光電変換を行うＣＣＤイメージセンサ（以下、ＣＣＤという）２１８と、ＣＣＤ２１８による光電変換に得られた電気信号が入力される制御装置１１０とを備える。
【００５１】
プリンタ部３００は、制御装置１１０から入力された画像データに基づきレーザ発光部３２２を駆動・走査するレーザドライバ３２１と、レーザ発光部３２２からのレーザ光が照射された部分に静電潜像を形成する感光ドラム３２３と、この静電潜像をトナーを用いている感光ドラム３２３上の静電潜像をトナー像に可視像化する現像器３２４と、レーザ光の照射タイミングに同期して搬送ベルト３２６の駆動制御を行うことにより、各カセット３１１，３１２，３１３，３１４又は手差し給紙段３１５にある記録紙を搬送路３３１を介して感光ドラム３２３と転写部３２５との間に給紙するＣＰＵ（不図示）と、感光ドラム３２３上のトナー像をその給紙された記録紙上に転写する転写転写部３２５とを備える。
【００５２】
さらに、プリンタ部３００は、トナー像が転写され、搬送ベルト３２６を介して送られてきた記録紙を熱圧し、記録紙上のトナー像を記録紙上に定着させる定着部３２７と、この定着部３２７を通過した記録紙の排紙先として、搬送路３３５を経て排紙口３３４から順次記録紙を積載していく排紙ビン３２８と、搬送路３３６を経た記録紙を搬送路３３８に一旦導くフラッパ３２９とを備える。
【００５３】
尚、記録紙の排紙先を排紙ビン３２８としたが、これに限定されるわけではなく、例えば、ソート、ステイプルなどの後処理を施すことが可能な排紙ユニットを排紙ビン３２８の代わりに排紙口３３４の先に接続し、この排紙ユニットに記録紙を出力するようにしてもよい。
【００５４】
また、画像形成面を反転して記録紙を排紙する場合には、記録紙がフラッパ３２９により搬送路３３６を経て搬送路３３８に一旦導かれた後に、搬送路３３７を経て排紙口３３４から排紙される。さらに、両面記録モードが設定されている場合には、定着部３２７を通過した記録紙が搬送路３３６に導かれ、そしてフラッパ３２９により一旦搬送路３３３へ導かれた後に、この搬送路３３３から搬送路３３８を経て搬送路３３２に導かれる。搬送路３３２に導かれた記録紙は、上述したタイミングで感光ドラム３２３と転写部３２５との間に再給紙され、この記録紙の裏面にトナー像が転写される。
【００５５】
図３は、図１におけるプリンタ部３００の記録紙搬送経路を模式的に示す図である。
【００５６】
図３において、プリンタ部３００の記録紙の搬送経路は、手差し給紙段３１５又は各カセット３１１〜３１４（不図示）から感光ドラム３２３と転写部３２５との間に至る搬送路３３１と、感光ドラム３２３上のトナー像が転写された記録紙を定着部（不図示）を経て外部（排紙ビン）に向けて搬送するための搬送路３３５と、感光ドラム３２３上のトナー像が転写された記録紙を定着部（不図示）を経て記録紙を搬送路３３８又は搬送路３３３に導くための搬送路３３６と、搬送路３３８に導かれた記録紙を外部へ排紙するための搬送路３３７と、搬送路３３３へ導かれた用紙を搬送路３３１へ導いて感光ドラム３２３と転写部３２５との間に再給紙を行うための再給紙搬送路３３２とから構成される。
【００５７】
記録紙の搬送経路への給紙は、手差し給紙段３１５から行われる場合の各モードでの給紙制御方法について説明する。
【００５８】
表面排紙モードによる片面画像形成の場合、図４に示すように、まず、手差し給紙段３１５から給紙された記録紙Ｓが、搬送路３３１を経て感光ドラム３２３と転写部３２５の間に搬送される。そして、この記録紙Ｓは、その表面に感光ドラム３２３上のトナー像が転写された後に、不図示の定着部に送られ、トナー像が定着部により記録紙Ｓ上に定着される。画像が定着された記録紙Ｓは、搬送路３３５を経て外部（排紙ビン又は排紙処理ユニット）に排紙される。
【００５９】
また、背面排紙モードによる片面画像形成の場合、まず、上述の表面排紙モードにおける方法と同様の方法で記録紙Ｓ上にトナー像が定着され、その後、図５に示すように、定着後の記録紙Ｓは、搬送路３３６を経て一旦搬送路３３８に導かれた後に、搬送路３３７を介して排紙される。これにより、記録紙Ｓは外部へ背面排紙される。なお、図中、記録紙Ｓにおいて△印が付された面は、画像形成面を示す。
【００６０】
両面画像形成モードの場合、図６に示すように、手差し給紙段３１５から給紙された記録紙Ｓが搬送路３３１を経て感光ドラム３２３と転写部３２５の間に搬送され、この記録紙Ｓの表面に感光ドラム３２３上のトナー像が転写された後に、定着部に送られる。定着部により画像が定着された記録紙Ｓは、搬送路３３６を経て搬送路３３３へ一旦導かれた後に、再給紙搬送路３３２へ導かれる。ここで、複数枚の記録紙に両面画像形成を行う場合には、所定枚数分の記録紙Ｓが順に給紙される。所定枚数分の記録紙Ｓが給紙されると、図７に示すように、再給紙搬送路３３２上の記録紙は搬送路３３１を経て感光ドラム３２３に再給紙される。そして、再給紙された記録紙の裏面にトナー像が転写され、この両面に画像が形成された記録紙は定着部を経て外部に排紙される。次いで、再給紙搬送路３２３上の次の記録紙Ｓが再給紙される。なお、図中、記録紙Ｓにおいて△印が付された面は、最初に画像が形成された面を示し、ほぼ半円形状の印が付された面は、再給紙により画像形成された面を示す。
【００６１】
図８は、図１の画像入出力システム１００により実行される給紙スケジューリング処理の手順を示すフローチャートである。
【００６２】
図８において、まず、まず、給紙待ちの紙がなく（ステップＳ１１０１でＮＯ）、且つ再給紙待ちの紙もないか否かを判別する（ステップＳ１１０３）。
【００６３】
ステップＳ１１０３の判別の結果、再給紙待ちの紙もないとき、ステップＳ１１０１からの処理を繰り返す。一方、ステップＳ１１０３の判別の結果、再給紙待ちの紙はあるとき、再給紙待ちの紙の先頭紙を給紙して（ステップＳ１１０７）、本処理を終了する。このステップＳ１１０７の処理により、すでに表面に印字が行われている再給紙待ちの紙の先頭紙の裏面に印字する両面裏面印字が行われる。その後、この両面裏面印字が行われた紙は、搬送路３３５を経て外部に排紙される。
【００６４】
一方、給紙待ちの紙があるときは（ステップＳ１１０１でＹＥＳ）、再給紙待ちの紙があるか否かを判別する（ステップＳ１１０２）。
【００６５】
ステップＳ１１０２の判別の結果、再給紙待ちの紙があるとき、再給紙待ちの紙すべてと給紙待ちの先頭紙の中で最大の用紙サイズから循環枚数を決定し（ステップＳ１１０４）、再給紙待ちの紙数が（循環枚数の値＋１）／２以上であるか否かを判別し（ステップＳ１１０５）、再給紙待ちの紙数が（循環枚数の値＋１）／２以上であるときは、再給紙待ちの紙の再給紙を開始するタイミングであると判断して、ステップＳ１１０７の処理に進む。一方、ステップＳ１１０５の判別の結果、再給紙待ちの紙数が（循環枚数値＋１）／２未満であるときは、給紙待ちの紙の先頭紙が両面印刷の紙であるか否かを判別し（ステップＳ１１０６）、先頭紙が両面印刷の紙でないときはステップＳ１１０７の処理に進み、先頭紙が両面印刷の紙であるときは、給紙待ちの紙の先頭紙を再給紙搬送路を排紙先として給紙して（ステップＳ１１０９）、本処理を終了する。このステップＳ１１０９の処理により、給紙待ちの紙の先頭紙の表面に印字する両面表面印字が行われる。その後、反転用搬送路３３３でこの両面表面印字が行われた紙を反転させた後に、その反転した紙を再給紙搬送路３３２に導き、再給紙待ちの紙としてその紙の印字を待機させる。
【００６６】
上記ステップＳ１１０２の判別の結果、再給紙待ちの紙がないとき、給紙待ちの紙の先頭紙が両面印字の紙であるか否かを判別し（ステップＳ１１０８）、給紙待ちの紙の先頭紙が両面印字の紙であるときは、ステップＳ１１０９の処理に進み、一方、給紙待ちの紙の先頭紙が両面印字の紙でないときは、給紙待ちの紙の先頭紙を排紙ビンを排紙先として給紙して（ステップＳ１１１０）、本処理を終了する。このステップＳ１１１０の処理により、給紙待ちの紙の先頭紙の表面に印字する片面印字が行われる。その後、この片面印字が行われた紙は、排紙ビンに排紙される。
【００６７】
以下、図８の処理で両面印刷を行う給紙待ちの記録紙は全部で２１枚あり、上から１０枚の紙の記録紙サイズがＡ、次の１枚の紙の記録紙サイズがＢ、最後の１０枚の記録紙サイズがＡである場合について具体的に説明する。ここで、記録紙サイズはＢの方がＡより大きく、また、記録紙サイズがＡのときの循環枚数は１５枚、記録紙サイズがＢのときの循環枚数は７枚であることが予め画像入出力システム１００に登録されているものとする。
【００６８】
給紙が開始されるとＡサイズの紙を１５枚循環型画像形成で両面循環を行う。Ａサイズ用紙の給紙が終わり、給紙待ちの先頭紙がＢサイズ用紙になったタイミング１３０１（図９）で、ステップＳ１１０４において循環枚数は、最大用紙サイズであるＢサイズの循環枚数である７枚に決定される。現在の再給紙待ちの紙数は１０であるため、再給紙待ちの紙数が４（＝（７＋１）／２）未満となるまでは給紙することなく、再給紙待ちの紙の排紙が行われる（ステップＳ１１０７）。
【００６９】
その後、タイミング１３０２（図９）で再給紙待ちの紙数が４（＝（７＋１）／２）未満となったときに（ステップＳ１１０５でＮＯ）、給紙待ちの先頭紙の給紙を開始すると共に、Ａサイズの用紙も含めて７枚循環型画像形成で両面循環を行う。
【００７０】
この両面循環は、Ｂサイズ用紙の紙の給紙が終わり、給紙待ちの先頭紙がＡサイズ用紙の紙になったタイミング１３０３（図９）においても、再給紙待ちの紙の中に１１枚目のＢサイズ用紙の紙があるため、ステップＳ１１０４において決定される循環枚数は、最大用紙サイズであるＢサイズの循環枚数である７枚であり、引き続き７枚循環型画像形成で両面循環を行う。
【００７１】
１１枚目のＢサイズ用紙の紙の再給紙を行った直後のタイミング１３０４（図９）では、Ｂサイズ用紙の紙が再給紙待ちの紙の中においてもなくなるため、ステップＳ１１０４において循環枚数は、最大用紙サイズであるＡサイズの循環枚数である１５枚に決定される。従って、これ以降１５枚循環型画像形成で両面循環が行われる。
【００７２】
本実施の形態によれば、再給紙待ちの紙の全てと給紙待ちの先頭の紙にＢサイズの記録用紙の紙がなくなり、全てＡサイズの記録用紙の紙となるまで、Ｂサイズの記録用紙の紙のみならずＡサイズの記録用紙の紙も７枚循環型で動作させ、再給紙待ちの紙の全てと給紙待ちの先頭の紙が全てＡサイズであるときに１５枚循環で動作させるよう給紙制御を行うので、図１８に示す従来の処理と比べ複数のサイズの記録用紙について両面印刷を行う際のパフォーマンスの向上を図ることができる。
【００７３】
図１０は、図８の処理の変形例の手順を示すフローチャートである。
【００７４】
図１０の処理は、図８の処理と基本的に同じであり、図８のステップと同一のステップには同一符号を付して重複した説明は省略し、以下に図８の処理と異なる部分についてのみ説明する。
【００７５】
図１０の処理は、紙のサイズにより循環枚数を決定するステップＳ１１０４の処理の代わりに、紙のサイズに応じて予め重みが設定されているサイズ係数を合計するステップＳ１５０４の処理を行い、再給紙待ちの紙数が（循環係数＋１）／２の値以上か否かを判別するステップＳ１１０５の処理の代わりに、上記合計されたサイズ係数が両面搬送経路の長さに応じて設定される装置固有の循環最大係数より大きいか否かを判別するステップＳ１５０５の処理を行う点でのみ図８のものと異なる。
【００７６】
図１０において、ステップＳ１１０１において給紙待ちの紙があると判定されると、ステップＳ１１０２に進み、再給紙待ちの紙があるか否かを判定する。ここで、再給紙待ちの紙があれば、ステップＳ１５０４に進み、再給紙待ちすべての紙のサイズ係数と給紙待ちの先頭紙のサイズ係数を合計する。
【００７７】
続くステップＳ１５０５では、Ｓ１５０４で合計したサイズ係数が装置固有の循環最大係数より大きいか否かを判定する。合計したサイズ係数が循環最大係数より大きいときには、再給紙待ちの紙の先頭紙を再給紙して裏面印字をするため再給紙実行要求を出す（ステップＳ１１０７）。これに対し、ステップＳ１５０５の判別の結果、サイズ係数の合計が循環最大係数以下であるときには、給紙待ちの紙の先頭紙が両面印刷の紙であるか否かを判別する（ステップＳ１１０６）。給紙待ちの紙の先頭紙が両面印刷の紙でないときには、ステップＳ１１０７に進み、上記再給紙実行要求を出す。
【００７８】
以下、図１０の処理で両面印刷を行う給紙待ちの記録紙は全部で２１枚あり、上から１０枚の紙の記録紙サイズがＡ、次の１枚の紙の記録紙サイズがＢ、最後の１０枚の記録紙サイズがＡである場合について具体的に説明する。ここで、本実施の形態に係る装置固有の循環最大係数は８であり、また、Ａサイズの紙のサイズ係数は１、Ｂサイズの紙のサイズ係数は２である。
【００７９】
給紙が開始されるとＡサイズの紙を１５枚循環型画像形成で両面循環を行う。Ａサイズ用紙の給紙が終わり、給紙待ちの先頭紙がＢサイズ用紙になったタイミング１４０１（図１１）では、Ａサイズの再給紙待ちの紙が７枚、給紙待ちの先頭紙がＢサイズとなる。従って、ステップＳ１５０４において合計されるサイズ係数の値（＝９）は、循環最大係数８より大きくなるので（ステップＳＳ１５０５でＹＥＳ）、給紙することなく再給紙待ちの紙の排紙が行われる（ステップＳ１１０７）。
【００８０】
その後、タイミング１４０２（図１１）で、再給紙待ちの紙がＡサイズの紙６枚、給紙待ちの先頭紙がＢサイズとなり、ステップＳ１５０４において合計されるサイズ係数の値が循環最大係数（＝８）となるので（Ｓ１５０５でＮＯ）、給紙待ちの先頭紙の給紙を開始する。
【００８１】
この両面循環は、Ｂサイズ用紙の紙の給紙が終わり、給紙待ちの先頭紙がＡサイズ用紙の紙になったタイミング１４０３（図１１）においても、Ａサイズの再給紙待ちの紙が５枚、Ｂサイズの再給紙待ちの紙が１枚、給紙待ちの先頭紙がＡサイズであり、サイズ係数の合計は循環最大係数８と等しい値であるので（ステップＳ１５０５でＮＯ）、引き続き給紙待ちの先頭紙の給紙が行われる。
【００８２】
本変形例によれば、画像入出力システム１００の両面搬送経路の長さを最大に使用することができるので、よりパフォーマンスの向上を図ることができる。
【００８３】
また、本発明の目的は、上記実施の形態の機能を実現するソフトウェアのプログラムコードを記録した記憶媒体（又は記録媒体）を、システム又は装置に供給し、そのシステム或いは装置のコンピュータ（又はＣＰＵやＭＰＵ）が記憶媒体に格納されたプログラムコードを読み出し実行することによっても、達成されることは言うまでもない。
【００８４】
この場合、記憶媒体から読み出されたプログラムコード自体が前述した実施形態の機能を実現することになり、そのプログラムコードを記憶した記憶媒体は本発明を構成することになる。
【００８５】
また、コンピュータが読み出したプログラムコードを実行することにより、前述した実施形態の機能が実現されるだけでなく、そのプログラムコードの指示に基づき、コンピュータ上で稼働しているオペレーティングシステム(ＯＳ)などが実際の処理の一部又は全部を行い、その処理によって前述した実施形態の機能が実現される場合も含まれることは言うまでもない。
【００８６】
さらに、記憶媒体から読み出されたプログラムコードが、コンピュータに挿入された機能拡張カードやコンピュータに接続された機能拡張ユニットに備わるメモリに書き込まれた後、そのプログラムコードの指示に基づき、その機能拡張カードや機能拡張ユニットに備わるＣＰＵなどが実際の処理の一部又は全部を行い、その処理によって前述した実施形態の機能が実現される場合も含まれることは言うまでもない。
【００８７】
また、上記プログラムは、上述した実施の形態の機能をコンピュータで実現することができればよく、その形態は、オブジェクトコード、インタプリタにより実行されるプログラム、ＯＳに供給されるスクリプトデータ等の形態を有するものでもよい。
【００８８】
プログラムを供給する記録媒体としては、例えば、ＲＡＭ、ＮＶ−ＲＡＭ、フロッピー（登録商標）ディスク、光ディスク、光磁気ディスク、ＣＤ−ＲＯＭ、ＭＯ、ＣＤ−Ｒ、ＣＤ−ＲＷ、ＤＶＤ（ＤＶＤ−ＲＯＭ、ＤＶＤ−ＲＡＭ、ＤＶＤ−ＲＷ、ＤＶＤ＋ＲＷ）、磁気テープ、不揮発性のメモリカード、他のＲＯＭ等の上記プログラムを記憶できるものであればよい。或いは、上記プログラムは、インターネット、商用ネットワーク、若しくはローカルエリアネットワーク等に接続される不図示の他のコンピュータやデータベース等からダウンロードすることにより供給される。
【図面の簡単な説明】
【００８９】
【図１】本発明の実施の形態に係る画像形成装置としての画像入出力システムの構成を概略的に示すブロック図である。
【図２】図１におけるリーダ部及びプリンタ部のハードウェア構成を概略的に示す図である。
【図３】図１におけるプリンタ部の記録紙搬送経路を模式的に示す図である。
【図４】表面排紙モードにより片面画像形成が行われる際の給紙制御方法を説明するのに用いられる図である。
【図５】背面排紙モードにより片面画像形成が行われる際の給紙制御方法を説明するのに用いられる図である。
【図６】両面画像形成モードの際の給紙制御方法を説明するのに用いられる図である。
【図７】図６の給紙制御方法の続きを説明するのに用いられる図である。
【図８】図１の画像入出力システムにより実行される給紙スケジューリング処理の手順を示すフローチャートである。
【図９】図８の処理により両面印刷がされるときの給紙順序を示す図である。
【図１０】図８の処理の変形例の手順を示すフローチャートである。
【図１１】図１０の処理により両面印刷がされるときの給紙順序を示す図である。
【図１２】従来の画像形成装置における紙の搬送経路を模式的に示す図である。
【図１３】従来の画像形成装置により実行される給紙スケジューリング処理の手順を示すフローチャートである。
【図１４】図１３の処理により両面印刷がされるときの給紙順序を示す図である。
【図１５】図１３の処理により両面印刷がされるときの給紙順序の変形例を示す図である。
【図１６】図１３の処理の変形例の手順を示すフローチャートである。
【図１７】図１６の処理により両面印刷がされるときの給紙順序を示す図である。
【図１８】図１６の処理により両面印刷がされるときの給紙順序の変形例を示す図である。
【符号の説明】
【００９０】
１００  画像入出力システム
３００  プリンタ部
３２３  感光ドラム
３２５  転写部
３１５  手差し給紙段
３３５  搬送路
３３３  搬送路
３３２  再給紙搬送路
【図１】
2006290609.tif 000003
【図２】
2006290609.tif 000004
【図３】
2006290609.tif 000005
【図４】
2006290609.tif 000006
【図５】
2006290609.tif 000007
【図６】
2006290609.tif 000008
【図７】
2006290609.tif 000009
【図８】
2006290609.tif 000010
【図９】
2006290609.tif 000011
【図１０】
2006290609.tif 000012
【図１１】
2006290609.tif 000013
【図１２】
2006290609.tif 000014
【図１３】
2006290609.tif 000015
【図１４】
2006290609.tif 000016
【図１５】
2006290609.tif 000017
【図１６】
2006290609.tif 000018
【図１７】
2006290609.tif 000019
【図１８】
2006290609.tif 000020